(57)【特許請求の範囲】
【請求項１】
床面と天井面とに対して上下方向に突っ張り状に設けられ、所定間隔を空けて設置される一対の突っ張り式支持部材と、該一対の突っ張り式支持部材に架設される架設部材とを備えた吊下げ支持装置であって、
前記一対の突っ張り式支持部材はそれぞれ、第一の棒状部材と、前記第一の棒状部材の下方に配置される第二の棒状部材と、前記第一の棒状部材と第二の棒状部材とを軸方向に接続するとともに、該第一の棒状部材と該第二の棒状部材とを軸方向とは異なる一の方向に屈曲可能に接続する接続部と、前記第一の棒状部材及び前記第二の棒状部材の少なくともいずれか一方に対して軸方向に移動可能に貫装されるとともに、前記接続部の外周を被覆する位置で前記第一の棒状部材と前記第二の棒状部材とが屈曲するのを阻止する屈曲阻止部材と、前記第二の棒状部材の側面から突設され、前記架設部材の端部を支持する支持部とを有し、
前記支持部は、前記第一の棒状部材と前記第二の棒状部材との屈曲方向に向けて突設されるとともに、該第二の棒状部材の上端近傍に配置され、
前記架設部材は、前記支持部に嵌合される嵌合部が両端にそれぞれ形成されており、
前記支持部が対向するようにして前記一対の突っ張り式支持部材が設置され、該一対の突っ張り式支持部材が設置された状態で前記屈曲阻止部材が前記支持部の上端に当接する位置となることで前記接続部の外周が該屈曲阻止部材により被覆され、該接続部が該屈曲阻止部材により被覆された状態で前記架設部材の両端の嵌合部がそれぞれ該支持部に嵌合されることで該架設部材が該一対の突っ張り式支持部材に架設されて物品を吊下げ支持可能に構成されていることを特徴とする吊下げ支持装置。
【請求項２】
前記第一の棒状部材及び前記第二の棒状部材の少なくともいずれか一方に、長さを可変するための調整部材が設けられていることを特徴とする請求項１に記載の吊下げ支持装置。
【発明の詳細な説明】
【技術分野】
【０００１】
本発明は、吊下げ支持装置に関する。
【背景技術】
【０００２】
従来の突っ張り式支持装置は、対向する壁面間に突っ張り状に渡設してカーテンを吊設するためのカーテンポールとして機能したり、天井及び床面間に突っ張り状に渡設して支柱として機能したり、棚等の天板と天井との間に突っ張り状に渡設して転倒防止装置として機能したり、様々な用途に用いられることが知られている。
【０００３】
また、このような突っ張り式支持装置は、予め設置場所を位置決めした後に伸縮手段により棒材を伸長させながら、対向する面に対して両端をそれぞれ押圧支持させることにより突っ張り状に渡設可能に構成されている（例えば、特許文献１参照）。
【先行技術文献】
【特許文献】
【０００４】
【特許文献１】実用新案登録第３１８８３６８号公報
【発明の概要】
【発明が解決しようとする課題】
【０００５】
しかしながら、上記特許文献１の記載に代表される突っ張り式支持装置では、伸縮手段による棒材の伸縮調整が容易でなく、棒材の面に対する押圧力が大きすぎると、面を構成する天井や壁面などを突き破ってしまったり、反対に、棒材の面に対する押圧力が小さすぎると、棒材が支持できなくなり落下あるいは転倒といった不都合が生じてしまう場合がある。
【０００６】
本発明は、上記課題に鑑みてなされたものであり、簡便に支持することができる吊下げ支持装置を提供することを目的とするものである。
【課題を解決するための手段】
【０００７】
上記目的を解決するため、請求項１に記載の発明は、床面と天井面とに対して上下方向に突っ張り状に設けられ、所定間隔を空けて設置される一対の突っ張り式支持部材と、該一対の突っ張り式支持部材に架設される架設部材とを備えた吊下げ支持装置であって、
前記一対の突っ張り式支持部材はそれぞれ、第一の棒状部材と、前記第一の棒状部材の下方に配置される第二の棒状部材と、前記第一の棒状部材と第二の棒状部材とを軸方向に接続するとともに、該第一の棒状部材と該第二の棒状部材とを軸方向とは異なる一の方向に屈曲可能に接続する接続部と、前記第一の棒状部材及び前記第二の棒状部材の少なくともいずれか一方に対して軸方向に移動可能に貫装されるとともに、前記接続部の外周を被覆する位置で前記第一の棒状部材と前記第二の棒状部材とが屈曲するのを阻止する屈曲阻止部材と、前記第二の棒状部材の側面から突設され、前記架設部材の端部を支持する支持部とを有し、
前記支持部は、前記第一の棒状部材と前記第二の棒状部材との屈曲方向に向けて突設されるとともに、該第二の棒状部材の上端近傍に配置され、
前記架設部材は、前記支持部に嵌合される嵌合部が両端にそれぞれ形成されており、
前記支持部が対向するようにして前記一対の突っ張り式支持部材が設置され、該一対の突っ張り式支持部材が設置された状態で前記屈曲阻止部材が前記支持部の上端に当接する位置となることで前記接続部の外周が該屈曲阻止部材により被覆され、該接続部が該屈曲阻止部材により被覆された状態で前記架設部材の両端の嵌合部がそれぞれ該支持部に嵌合されることで該架設部材が該一対の突っ張り式支持部材に架設されて物品を吊下げ支持可能に構成されていることを特徴とする。
【０００８】
請求項２に記載の発明は、請求項１に記載の吊下げ支持装置において、
前記第一の棒状部材及び前記第二の棒状部材の少なくともいずれか一方に、長さを可変するための調整部材が設けられていることを特徴とする。
【発明の効果】
【００１０】
本発明によれば、簡便に支持することができる吊下げ支持装置を提供することができる。
【図面の簡単な説明】
【００１１】
【図１】第１実施形態に係る突っ張り棒であって、（ａ）は外観斜視図であり、（ｂ）は側面図である。
【図２】第１実施形態に係る突っ張り棒の取付要領について説明する図である。
【図３】第２実施形態に係る突っ張り棒であって、（ａ）は外観斜視図であり、（ｂ）は側面図である。
【図４】第２実施形態に係る突っ張り棒の取付要領について説明する図である。
【発明を実施するための形態】
【００１２】
以下、本発明の実施の形態に係る突っ張り式支持装置の一例としての突っ張り棒について、図面を参照しながら説明する。ただし、発明の範囲は図示例に限定されない。なお、以下の説明において、同一の機能及び構成を有するものについては、同一の符号を付し、その説明を省略する。
【００１３】
（第１実施形態）
まず、図１を参照しながら、第１実施形態に係る突っ張り棒１００について説明する。本実施形態の突っ張り棒１００は、対向する壁面を支持し、例えば、カーテンレールやハンガーとして機能することができるものである。
【００１４】
図１に示すように、突っ張り棒１００は、第１棒材１０１と、第２棒材１０２と、調整材１０３とを備えて構成されている。第１棒材１０１、第２棒材１０２及び調整材１０３は、それぞれ円柱状の木製の棒材によって構成されている。また、第１棒材１０１及び第２棒材１０２は、接続部材１０４によって同軸上に連結されている。接続部材１０４は、例えば、薄板状のゴムシートからなり、略中央で折り返されてヒンジ部１０４ａを構成し、ヒンジ部１０４ａを基準として一方側の面が第１棒材１０１の端面に貼着され、他方側の面が第２棒材１０２の端面に貼着されている。そのため、ヒンジ部１０４ａを回動軸として第１棒材１０１と第２棒材１０２とを屈曲させることができる。
【００１５】
ここで、本実施形態において、第１棒材１０１及び第２棒材１０２がそれぞれ円柱状をなしているため、屈曲させようとした場合にヒンジ部１０４ａの近傍下端同士が干渉し、屈曲動作が阻害される。そのため、第１棒材１０１及び第２棒材１０２のそれぞれ接続部材１０４が貼着される端部であってヒンジ部１０４ａの近傍である下端部が切り落とされた切欠き１０１ａ，１０２ａが形成され、第１棒材１０１と第２棒材１０２とを屈曲させた際の干渉を回避するようにしている。なお、第１棒材１０１及び第２棒材は、上述した円柱状に限らず、他の形状に形成されたものであってもよく、例えば、第１棒材１０１及び第２棒材１０２の各下面を平面とした断面視蒲鉾状あるいは半円状に形成されたものとしたり、角柱状にしてもよい。この場合、ヒンジ部１０４ａが平面と接した状態とする、すなわち、第１棒材１０１と第２棒材１０２とを屈曲した場合に平面が互いに接近するような構成とした場合には、第１棒材１０１と第２棒材とを屈曲した場合に相互に干渉しないので、切欠き１０１ａ，１０２ａを形成する必要がなくなる。
【００１６】
なお、本実施形態では、ヒンジ部１０４ａに用いる材料としてゴムシートを用いたが、別の材料を用いてもよく、例えば、蝶番により第１棒材１０１と第２棒材１０２とを接続するようにしてもよいし、樹脂によるシート材により第１棒材１０１と第２棒材１０２とを接続するようにしてもよい。また、本実施形態では、第１棒材１０１、第２棒材１０２及び調整材１０３を木製により形成しているが、他の材料により形成されてもよく、例えば、金属や樹脂等、適宜の材料により形成されてもよい。このことは、後述する第２実施形態においても同様である。
【００１７】
調整材１０３は、第２棒材１０２と同軸上に接続されるものであり、調整材１０３の第２棒材１０２に対向する端面の中央には調整ネジ１０３ａが埋設される一方、第２棒材１０２の調整材１０３に対向する端面の中央には調整ネジ１０３ａを螺合するネジ穴が開設されている。すなわち、調整材１０３は、調整ネジ１０３ａが第２棒材１０２のネジ穴に螺合されることで第２棒材１０２と同軸上に接続されている。調整材１０３は、第２棒材１０２に対して矢印Ｒ１で示す方向に正逆回転させることで第２棒材１０２と調整材１０３との間隔を矢印Ｄ１に示す方向で調整することができる。なお、第２棒材１０２と調整材１０３との間隔を調整する手段は、上述したものに限らず、既知のいずれの調整手段についても適用することができる。本実施形態では、このような構成により、突っ張り棒１００の長さを伸縮させることができるようになっている。
【００１８】
また、第１棒材１０１の接続部材１０４が取り付けられている端面とは反対側の端面、及び、調整材１０３の第２棒材１０２の対向面とは反対側の端面に、それぞれ緩衝部材１０６ａ，１０６ｂが取り付けられている。これらの緩衝部材１０６ａ，１０６ｂは、突っ張り棒１００が取り付けられた際に、壁面等の支持面に対する押圧力を緩衝し、支持面に対する負荷を軽減する機能を有している。本実施形態において、緩衝部材１０６ａ，１０６ｂについてゴム材を適用したが、例えば、発泡ＥＶＡ（Ethylene-Vinyl Acetate copolymer）等の弾性を有する樹脂等を適用してもよい。
【００１９】
以上のようにして構成された突っ張り棒１００を壁面等の支持面に取り付ける要領について、図２を参照しながら説明する。
【００２０】
先ず、図２（ａ）に示すように、調整材１０３を矢印Ｒ１方向に正逆回転させて第２棒材１０２と調整材１０３との距離を矢印Ｄ１方向に調整することで突っ張り棒１００の長さが対向する支持面間の距離になるよう、予め調整する。このとき、突っ張り棒１００の長さが支持面間の距離よりもわずかに（緩衝部材１０６ａ，１０６ｂによりその長さが吸収できる程度）大きくなるようにすることで、突っ張り棒１００を支持面に強固に支持させることができる。
【００２１】
続いて、図２（ｂ）に示すように、第１棒材１０１と第２棒材１０２を屈曲させた状態で突っ張り棒１００の両端を対向する壁面Ｗにあてがい、その状態で矢印Ｄ２方向に押下操作する。すると、図２（ｃ）に示すように、第１棒材１０１の端面と第２棒材１０２の端面とが当接し、突っ張り棒１００は、水平方向に押圧力が生じるようになる。すなわち、対向する壁面Ｗそれぞれに対して突っ張り状態で突っ張り棒１００を支持させることができるようになる。
【００２２】
本実施形態では、上述したようにして、突っ張り棒１００を壁面Ｗに取り付ける前に、予め対向する壁面Ｗ間の距離に合わせて長さを調整し、その状態で突っ張り棒１００を壁面Ｗに取り付けるようにしたので、取り付けた後での長さの調整が不要であり、突っ張り棒１００を簡便に壁面Ｗに取り付けることができるようになる。また、従来のように、壁面等の支持面に突っ張り棒を取り付けた後での突っ張り棒の長さの調整が不要であるので、調整不良による支持面に対して大きな負荷がかかって支持面にダメージを与えたり、支持力不足により突っ張り棒が落下してしまうなどの不都合が生じにくくなる。
【００２３】
（第２実施形態）
次に、図３を参照しながら、第２実施形態に係る突っ張り棒２００について説明する。本実施形態の突っ張り棒２００は、例えば、２つを１組として使用し、それぞれ床面と天井とを支持し、その状態でレール部材を架設することで、カーテンレールやハンガーや棚などの支柱として機能することができるものである。また、突っ張り棒２００の長さを適宜設定することにより、例えば、棚の天板と天井とを支持して棚の転倒防止装置として機能させることも可能である。
【００２４】
図３に示すように、突っ張り棒２００は、上部棒材２０１と、下部棒材２０２とを備えて構成されている。上部棒材２０１及び下部棒材２０２は、それぞれ角柱状の木製の棒材により構成されている。また、上部棒材２０１及び下部棒材２０２は、接続部材２０３により同軸上に連結されている。接続部材２０３は、例えば、金属製の蝶番によって構成されており、一対の板面のうちの一方が上部棒材２０１の端面にねじ止め固定され、他方が下部棒材２０２の端面にねじ止め固定されている。したがって、接続部材２０３の一対の板面を回動可能に支持するヒンジ部２０３ａを回動軸として上部棒材２０１と下部棒材２０２とを屈曲させることができるようになっている。
【００２５】
また、上部棒材２０１の接続部材２０３が取り付けられている端面とは反対側の端面には、調整部材２０４が取り付けられている。調整部材２０４は、支持面としての天井に突合される突合板２０４ａと、突合板２０４ａの後面から一体的に突出して上部棒材２０１に取り付けられる調整部２０４ｂと、突合板２０４ａの前面に取り付けられた緩衝部材２０４ｃとを備えて構成されている。突合板２０４ａは、樹脂からなり円盤状に形成されている。調整部２０４ｂは、突合板２０４ａと一体形成されており、外周にねじ切りが施されており、矢印Ｒ３に示すように正逆回転することで、矢印Ｄ３方向に進退させることができ、これにより、突っ張り棒２００の長さを調整することができるようになっている。また、緩衝部材２０４ｃは、例えば、ゴム材により形成されており、突っ張り棒２００が取り付けられた際に、天井等の支持面に対する押圧力を緩衝し、支持面に対する負荷を軽減する機能を有している。なお、緩衝部材２０４ｃの材料は、ゴム材以外であってもよく、支持面に対する押圧力を緩衝することができる材料であれば、いずれのものも採用することができる。
【００２６】
一方、下部棒材２０２の接続部材２０３が取り付けられている端面とは反対側の端面には、突合部材２０５が取り付けられている。突合部材２０５は、支持面としての床面に突合される突合板２０５ａと、突合板２０５ａの前面に取り付けられた緩衝部材２０５ｂとを備えて構成されている。突合板２０５ａ及び緩衝部材２０５ｂの構成及び機能は、上述した突合板２０４ａ及び緩衝部材２０４ｃと同様であるので説明を省略する。なお、突合部材２０５には、突っ張り棒２００の長さを調整する機能を有していないが、上部棒材２０１に取り付けられた調整部材２０４と同様の機能を有するようにしてもよい。すなわち、上部棒材２０１及び下部棒材２０２の両方で突っ張り棒２００の長さを調整することができるように構成されてもよい。
【００２７】
また、本実施形態の突っ張り棒２００には、筒状からなり、突っ張り棒２００の外周に対して矢印Ｓに示す方向に摺動可能なカバー体２０６が設けられている。このカバー体２０６は、例えば、金属により構成されており、突っ張り棒２００が設置された際に接続部材２０３を覆うことで、上部棒材２０１と下部棒材２０２とが屈曲するのを防止するものである。なお、カバー体２０６の材料は金属に限らず、他の材料であってもよく、例えば、樹脂や木材等であってもよい。
【００２８】
また、下部棒材２０２の接続部材２０３が取り付けられる側の端部近傍に支持部２０７が突設されている。支持部２０７は、後述するカーテンレールＣＲ（図４参照）を嵌合してカーテンレールＣＲを支持する機能を有している。なお、本実施形態において、支持部２０７は、角柱状に形成されているが、他の形状であってもよい。また、支持部２０７によって支持される部材はカーテンレールＣＲに限らず、例えば、ハンガーや棚等、他の機能を有する部材であってもよい。また、本実施形態では、カーテンレールＣＲ等の架設部材を支持部２０７に嵌合して設置するようにしたが、例えば、支持部２０７に載置して設置する態様であってもよい。
【００２９】
以上のようにして構成された突っ張り棒２００を設置する要領について、図４を参照しながら説明する。
【００３０】
先ず、図４（ａ）及び同図（ｂ）に示すように、調整部材２０４を矢印Ｒ３方向に正逆回転させて上部棒材２０１と突合板２０４ｃとの距離を矢印Ｄ３方向に調整することで突っ張り棒２００の長さを、床面から天井までの高さに整合させるように予め調整する。
【００３１】
続いて、図４（ｃ）に示すように、上部棒材２０１と下部棒材２０２とを屈曲させた状態で一対の突っ張り棒２００を床面Ｆと天井Ｃにそれぞれあてがう。このとき、支持部２０７を対向させるとともに、カーテンレールやハンガー等の架設部材の長さを考慮して所定間隔を空けて配置する。また、一対の突っ張り棒２００は、それぞれ下部棒材２０２の突合板２０５ａの位置が上部棒材２０１の突合板２０４ａの位置と鉛直方向に整合するようにする。その後、一対の突っ張り棒２００を互いに離間する方向に押圧すると、図４（ｄ）に示すように、上部棒材２０１の端面と下部棒材２０２の端面とが当接し、突っ張り棒２００は、垂直方向に押圧力が生じるようになる。すなわち、上部棒材２０１の突合板２０４ａ及び下部棒材２０２の突合板２０５ａがそれぞれ天井Ｃ及び床面Ｆに対して押圧し、突っ張り状態で突っ張り棒２００が支持される。
【００３２】
その後、図４（ｅ）に示すように、カバー体２０６を突っ張り棒２００に沿って下方に摺動させて支持部２０７に当接すると、接続部材２０３が被覆される。これにより、突っ張り棒２００が不用意に屈曲されるのを防止することができる。
【００３３】
その後、図４（ｆ）に示すように、本実施形態では、カーテンレールＣＲを支持部２０７によってその両端が支持されるようにして一対の突っ張り棒２００に架設する。具体的には、カーテンレールＣＲは底面が平面とされた断面視蒲鉾状に形成されるとともに、底面の長手方向の両端の中央にそれぞれ支持部２０７に嵌合する嵌合溝が形成されている。そして、カーテンレールＣＲを一対の突っ張り棒２００に架設する際には、カーテンレールＣＲの底面に形成された嵌合溝を支持部２０７に嵌合させることにより、カーテンレールＣＲを一対の突っ張り棒２００に対して強固に架設することができる。さらに、カーテンレールＣＲの長手方向の両端面がそれぞれ突っ張り棒２００の接続部材２０３に対向配置されるので、例えば、突っ張り棒２００が屈曲する方向に押圧されても、カバー体２０６の機能とともに、カーテンレールＣＲによって突っ張り棒２００が屈曲するのを阻止することができる。
【００３４】
本実施形態では、上述したようにして、突っ張り棒２００を設置する前に、予め床面Ｆと天井Ｃとの間の距離に合わせて長さを調整し、その状態で突っ張り棒２００を設置するようにしたので、取り付けた後での長さの調整が不要であり、突っ張り棒２００を簡便に設置することができるようになる。また、従来のように、床面や天井等の支持面に突っ張り棒を取り付けた後での突っ張り棒の長さの調整が不要であるので、調整不良による支持面に対して大きな負荷がかかって支持面にダメージを与えたり、支持力不足により突っ張り棒が転倒してしまうなどの不都合が生じにくくなる。
【００３５】
なお、本実施形態では、一対の突っ張り棒２００をそれぞれ床面Ｆと天井Ｃとに突っ張り状で支持することにより設置し、設置した一対の突っ張り棒２００に対してカーテンレールやハンガーを架設するようにしたが、突っ張り棒２００を他の支持面に対して支持させるようにして設置させるようにしてもよく、例えば、階段下に一対の突っ張り棒を設置し、棚板を一対の突っ張り棒に対して架設して収納棚を構成するようにしてもよい。具体的には、床面と階段の踏み面の裏面とで一対の突っ張り棒をそれぞれ突っ張り状態で設置する。このとき、一対の突っ張り棒は、例えば、踏み面の長手方向に沿って設置される。また、高さの異なる複数の踏み面に亘って突っ張り棒を設置する場合には、例えば、上部棒材の上端から２つの調整部材を突設し、一方の調整部材で床面から低い位置にある踏み面の下面との距離に整合させるように上部棒材から突出させる長さを調整できるようにし、他方の調整部材で床面から高い位置にある踏み面の下面との距離に整合させるように上部棒材から突出させる長さを調整できるようにし、それぞれの調整部材で長さの調整が完了した後に、床面と階段の踏み面の下面とで突っ張り状態で設置する。もちろん、床面と１つの踏み面の下面とで突っ張り状態で設置する構成としてもよいことはいうまでもない。そして、一対の突っ張り棒の下部棒材にそれぞれ設けられた支持部に棚板を架設することで、階段下に収納棚を構成することができる。これによれば、階段下のデッドスペースを活用できることが期待される。
【００３６】
以上説明したように、本実施形態によれば、第１棒材１０１と、第２棒材１０２と、第１棒材１０１と第２棒材１０２とを軸方向に接続するとともに、第１棒材１０１と第２棒材１０２とを軸方向とは異なる位置の方向に屈曲可能に接続する接続部材１０４とを備えている。その結果、対向する第一の支持面と第二の支持面とに対して垂直方向に突っ張り状に渡設される突っ張り式支持装置において、簡便に支持することができるようになる。
【００３７】
また、本実施形態によれば、第１棒材１０１及び第２棒材１０２の少なくともいずれか一方に、長さを可変するための調整材１０３が設けられているので、対向する支持面の距離の変化に対応することができるようになる。
【００３８】
また、本実施形態によれば、上部棒材２０１及び下部棒材２０２の少なくともいずれか一方に対して軸方向に移動可能に貫装されるとともに、接続部材２０３の外周を被覆する位置で上部棒材２０１と下部棒材２０２とが屈曲するのを阻止するカバー体２０６を備えたので、突っ張り式支持装置が不用意に屈曲することで落下あるいは転倒するのを防止できるようになる。
【００３９】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【符号の説明】
【００４０】
１００  突っ張り棒（突っ張り式支持装置）
１０１  第１棒材（第一の棒状部材）
１０２  第２棒材（第二の棒状部材）
１０３  調整材（調整部材）
１０４  接続部材（接続部）
２００  突っ張り棒（突っ張り式支持装置）
２０１  上部棒材（第一の棒状部材）
２０２  下部棒材（第二の棒状部材）
２０３  接続部材（接続部）
２０４  調整部材
２０６  カバー体（屈曲阻止部材）
Ｗ  壁面（第一の支持面、第二の支持面）
Ｆ  床面（第一の支持面）
Ｃ  天井（第二の支持面）
【図１】
0006886163.tif 000002
【図２】
0006886163.tif 000003
【図３】
0006886163.tif 000004
【図４】
0006886163.tif 000005